(57)【特許請求の範囲】
【請求項１】
遊技者が獲得した遊技媒体の数である獲得遊技媒体数を計数する計数手段と、
前記計数手段により計数された前記獲得遊技媒体数を記録した記録媒体である営業用記録媒体を発行する営業用記録媒体発行手段と、
前記営業用記録媒体を受付け可能な記録媒体受付手段と、
前記記録媒体受付手段が前記営業用記録媒体を受付けた場合に、当該営業用記録媒体に記録された前記獲得遊技媒体数の範囲内で所定の景品交換処理を行う景品交換処理手段と、
前記景品交換処理に関する情報を表示部に表示する表示手段と、
所定の営業モードにおける前記景品交換処理の結果を実績データとして累積的に蓄積する一方、所定の練習モードにおける前記景品交換処理の結果を当該実績データとして蓄積しない実績データ蓄積手段と、
前記営業モードと、前記練習モードのうち何れかのモードを選択的に設定可能なモード設定手段と、
景品交換処理において交換の対象となる景品の種類及び個数を含む情報からなる複数種類の景品情報の中から選択した一部の景品情報を練習の課題として決定する課題決定手段と、
前記課題決定手段が決定した練習の課題を提示する課題提示手段と、を備え、
前記課題提示手段は、所定の数値を記録する記録媒体である練習用記録媒体を発行する練習用記録媒体発行手段であり、
前記練習用記録媒体発行手段は、前記練習の課題を記録した前記練習用記録媒体を発行し、
前記記録媒体受付手段は、前記練習用記録媒体を受付け可能であり、
前記景品交換処理手段は、前記記録媒体受付手段が前記練習用記録媒体を受付けた場合に、当該練習用記録媒体に記録された前記所定の数値の範囲内で所定の景品交換処理を行うことを特徴とする景品交換システム。
【請求項２】
前記課題提示手段は前記表示手段であり、
前記表示手段は、前記練習の課題を前記表示部に表示することを特徴とする請求項１記載の景品交換システム。
【請求項３】
遊技者が獲得した遊技媒体の数である獲得遊技媒体数を計数する計数手段と、
前記計数手段により計数された前記獲得遊技媒体数を記録した記録媒体である営業用記録媒体を発行する営業用記録媒体発行手段と、
前記営業用記録媒体を受付け可能な記録媒体受付手段と、
前記記録媒体受付手段が前記営業用記録媒体を受付けた場合に、当該営業用記録媒体に記録された前記獲得遊技媒体数の範囲内で所定の景品交換処理を行う景品交換処理手段と、
前記景品交換処理に関する情報を表示部に表示する表示手段と、
所定の営業モードにおける前記景品交換処理の結果を実績データとして累積的に蓄積する一方、所定の練習モードにおける前記景品交換処理の結果を当該実績データとして蓄積しない実績データ蓄積手段と、
前記営業モードと、前記練習モードのうち何れかのモードを選択的に設定可能なモード設定手段と、
景品交換処理において交換の対象となる景品の種類及び個数を含む情報からなる複数種類の景品情報の中から選択した一部の景品情報を練習の課題として決定する課題決定手段と、
所定の数値を記録する記録媒体である練習用記録媒体を発行する練習用記録媒体発行手段と、を備え、
前記課題決定手段が決定した練習の課題を、前記表示手段が表示部に表示するか、又は前記練習用記録媒体発行手段が練習用記録媒体に記録して発行することによって提示するように構成され、
前記記録媒体受付手段は、前記練習用記録媒体を受付け可能であり、
前記景品交換処理手段は、前記記録媒体受付手段が前記練習用記録媒体を受付けた場合に、当該練習用記録媒体に記録された前記所定の数値の範囲内で所定の景品交換処理を行うことを備えたことを特徴とする景品交換システム。
【発明の詳細な説明】
【技術分野】
【０００１】
本発明は、遊技場における景品交換処理を練習する機能を備えた景品交換システムに関する。
【背景技術】
【０００２】
従来、遊技場の景品交換カウンタには景品交換システムを構成するＰＯＳ端末が設置されており、従業員によりＰＯＳ端末を用いた景品交換処理が行われている（特許文献１参照）。また、小売店などで用いられるＰＯＳ端末として、商品の価格を確認するときに読み取った情報を実績データに反映させないようにする技術が公開されている（特許文献２参照）。
【先行技術文献】
【特許文献】
【０００３】
【特許文献１】特開２００２−１４３５２１号公報
【特許文献２】特開２００６−２３５７８７号公報
【発明の概要】
【発明が解決しようとする課題】
【０００４】
これらを利用することで、遊技場用のＰＯＳ端末にも従業員が景品交換処理に慣れるために、読み取った情報を実績データに反映させない練習モードを設定可能な練習機能を搭載することが考えられる。
しかし、ＰＯＳ端末による景品交換処理は、特殊景品或いは一般景品との交換処理や端玉の処理など景品交換の条件が複雑であり、ＰＯＳ端末の操作に不慣れな従業員が景品交換処理を行うと客を待たせることになることから、景品交換処理の迅速化を図るために、より実践的な練習機能が求められている。
【０００５】
本発明は上記事情に鑑みてなされたもので、その目的は、景品交換処理の練習機能を備えた構成において、より実践的な練習を行うことができる景品交換システムを提供することにある。
【課題を解決するための手段】
【０００６】
本発明の景品交換システムは、遊技者が獲得した遊技媒体の数である獲得遊技媒体数を計数する計数手段と、前記計数手段により計数された前記獲得遊技媒体数を記録した記録媒体である営業用記録媒体を発行する営業用記録媒体発行手段と、前記営業用記録媒体を受付け可能な記録媒体受付手段と、前記記録媒体受付手段が前記営業用記録媒体を受付けた場合に、当該営業用記録媒体に記録された前記獲得遊技媒体数の範囲内で所定の景品交換処理を行う景品交換処理手段と、前記景品交換処理に関する情報を表示部に表示する表示手段と、所定の営業モードにおける前記景品交換処理の結果を実績データとして累積的に蓄積する一方、所定の練習モードにおける前記景品交換処理の結果を当該実績データとして蓄積しない実績データ蓄積手段と、前記営業モードと、前記練習モードのうち何れかのモードを選択的に設定可能なモード設定手段と、景品交換処理において交換の対象となる景品の種類及び個数を含む情報からなる複数種類の景品情報の中から選択した一部の景品情報を練習の課題として決定する課題決定手段と、前記課題決定手段が決定した練習の課題を提示する課題提示手段と、を備え、前記課題提示手段は、所定の数値を記録する記録媒体である練習用記録媒体を発行する練習用記録媒体発行手段であり、前記練習用記録媒体発行手段は、前記練習の課題を記録した前記練習用記録媒体を発行し、前記記録媒体受付手段は、前記練習用記録媒体を受付け可能であり、前記景品交換処理手段は、前記記録媒体受付手段が前記練習用記録媒体を受付けた場合に、当該練習用記録媒体に記録された前記所定の数値の範囲内で所定の景品交換処理を行うものである（請求項１）。
【０００７】
請求項１記載の景品交換システムにおいて、
前記課題提示手段は前記表示手段であり、
前記表示手段は、前記練習の課題を前記表示部に表示するようにしても良い（請求項２）。
【０００８】
本発明の景品交換システムは、遊技者が獲得した遊技媒体の数である獲得遊技媒体数を計数する計数手段と、前記計数手段により計数された前記獲得遊技媒体数を記録した記録媒体である営業用記録媒体を発行する営業用記録媒体発行手段と、前記営業用記録媒体を受付け可能な記録媒体受付手段と、前記記録媒体受付手段が前記営業用記録媒体を受付けた場合に、当該営業用記録媒体に記録された前記獲得遊技媒体数の範囲内で所定の景品交換処理を行う景品交換処理手段と、前記景品交換処理に関する情報を表示部に表示する表示手段と、所定の営業モードにおける前記景品交換処理の結果を実績データとして累積的に蓄積する一方、所定の練習モードにおける前記景品交換処理の結果を当該実績データとして蓄積しない実績データ蓄積手段と、前記営業モードと、前記練習モードのうち何れかのモードを選択的に設定可能なモード設定手段と、景品交換処理において交換の対象となる景品の種類及び個数を含む情報からなる複数種類の景品情報の中から選択した一部の景品情報を練習の課題として決定する課題決定手段と、所定の数値を記録する記録媒体である練習用記録媒体を発行する練習用記録媒体発行手段と、を備え、前記課題決定手段が決定した練習の課題を、前記表示手段が表示部に表示するか、又は前記練習用記録媒体発行手段が練習用記録媒体に記録して発行することによって提示するように構成され、前記記録媒体受付手段は、前記練習用記録媒体を受付け可能であり、前記景品交換処理手段は、前記記録媒体受付手段が前記練習用記録媒体を受付けた場合に、当該練習用記録媒体に記録された前記所定の数値の範囲内で所定の景品交換処理を行うものである（請求項３）。
【発明の効果】
【０００９】
請求項１の発明によれば、複数種類の景品情報の中から選択した一部の景品情報を練習の課題として決定するので、あらゆるパターンの景品交換処理を想定した実践的な練習が可能となる。よって、従業員はその課題を迅速に行うことができるようにすることで、より実践的な景品交換処理の技術を身に付けることができる。この場合、練習モードにおける景品交換処理は実績データとして累積的に蓄積されないので、景品交換を確実に管理することができる。
【００１０】
また、練習モードにおける景品交換処理を行うための練習用記録媒体を発行するので、記録媒体の受付からの練習が可能となるだけでなく、練習の課題を練習用記録媒体に印字したり、受付け時に課題を表示部に表示したりすることでスムーズに課題を提示することができる。
【００１１】
請求項２の発明によれば、練習用記録媒体を発行しない場合であっても、課題を表示部に表示することが出来るので、練習用記録媒体を発行する必要がない。また、この表示部は景品交換処理にも使用されるため、表示部の課題を確認しながら景品交換処理の練習を行うことができる。
【図面の簡単な説明】
【００１２】
【図１】本発明の一実施形態におけるシステム全体を示す概略図
【図２】ＰＯＳ端末の操作パネルを示す図
【図３】営業用レシートを示す図
【図４】練習用レシートを示す図
【図５】業務選択画面を示す図
【図６】待機中画面１を示す図
【図７】景品交換中画面１を示す図
【図８】景品交換中画面２を示す図
【図９】練習開始確認画面を示す図
【図１０】待機中画面２を示す図
【図１１】景品交換中画面３を示す図
【図１２】計数機の計数処理を示すフローチャート
【図１３】ＰＯＳ端末のメイン動作を示すフローチャート
【図１４】ＰＯＳ端末のモード設定処理を示すフローチャート
【図１５】ＰＯＳ端末のレシート受付処理を示すフローチャート
【図１６】ＰＯＳ端末の景品交換処理を示すフローチャート
【図１７】管理装置のメイン動作を示すフローチャート
【図１８】管理装置の持玉特定処理を示すフローチャート
【図１９】管理装置の持玉数抽出処理を示すフローチャート
【発明を実施するための形態】
【００１３】
以下、本発明の一実施形態について図面を参照しながら説明する。
図１は、遊技場用景品交換システム全体を概略的に示している。この図１において、遊技場としてのパチンコホールには、遊技機１に対応して台毎端末２が設置されている。この台毎端末２は台間玉貸機の機能を有しており、遊技者は台毎端末２からパチンコ玉（遊技媒体に相当）を借り受けて遊技機１で遊技を行うようになっている。
【００１４】
遊技機１に対応して呼出ランプユニット３が設置されている。この呼出ランプユニット３は、対応する遊技機１の稼動状態を収集して出力すると共に、遊技機１の稼動状態に応じて所定のランプを点灯或いは点滅したり、呼出ボタンに対する操作に応じて呼出ランプを点灯したりする。
台毎端末２及び呼出ランプユニット３は中継装置４と接続されている。中継装置４及び計数機５並びにＰＯＳ端末６は、管理装置７と例えば店舗内ＬＡＮ８によりネットワーク接続されている。
【００１５】
管理装置７（実績データ蓄積手段に相当）は、各台毎端末２による売上状態、各遊技機１の稼動状態、計数機５の計数処理に基づく計数状況の管理、ＰＯＳ端末６での景品の交換状況、在庫状況などを管理すると共に、計数機５やＰＯＳ端末６の設定を管理している。尚、計数機５及びＰＯＳ端末６でも各々の状況を管理するようになっている。
また、管理装置７は、営業時間中は所定周期で各遊技機１の稼動率を求めてＰＯＳ端末６に送信する。この場合、稼動タイマ作動中の遊技機１を稼動中の遊技機とし、全遊技機に対する稼動中の遊技機の割合を稼動率として算出するようになっている。
【００１６】
計数機５（計数手段、営業用記録媒体発行手段に相当）は、遊技場内の複数箇所(例えば島端)に設置されている。この計数機５は、遊技者が獲得したパチンコ玉（獲得遊技媒体数に相当）を計数処理して、景品交換に必要となるレシートを発行するようになっている。
計数機５には、遊技者が獲得したパチンコ玉を投入するための投入部９、表面にタッチパネルを有した液晶パネルより構成される表示部１０、計数結果を記録したレシートを発行するレシート発行処理を行うための「精算」釦１１、余り玉を返却するための「返却」釦１２、レシートを発行するためのレシート発行部１３、当該レシートを発行する際に余り玉を返却するための返却口１４が備えられている。
【００１７】
ＰＯＳ端末６（記録媒体受付手段、景品交換処理手段、モード設定手段、課題決定手段、課題提示手段、練習用記録媒体発行手段に相当）は景品交換カウンタに設置されている。このＰＯＳ端末６は、遊技者が提出したレシートから計数値や景品情報を示すバーコードを図示しないスキャナで読み取るためのものである。また、ＰＯＳ端末６には、表面にタッチパネルを有した液晶パネルより構成される表示部１５（表示手段に相当）、及び各種の操作キーを有した操作パネル１６が備えられている。尚、ＰＯＳ端末６に対応して遊技者が視認可能な図示しない表示部を備えた表示端末が設けられている。
【００１８】
図２は、ＰＯＳ端末６の操作パネル１６を示している。操作パネル１６には、複数種類のタバコを選択するための「タバコＡ」釦１７ａ〜「タバコＥ」釦１７ｅ、チョコレートを選択するための「チョコレート５０」釦１７ｆ（５０玉に相当）、他の一般景品を選択するための「端玉５」釦１７ｇ（５玉に相当）〜「端玉６０」釦１７ｍ（６０玉に相当）からなる景品キー１７、テンキー１８に加えて、「交換」釦１９、「終了」釦２０が設けられている。
【００１９】
次に、上記構成の作用について説明する。
図１３は、ＰＯＳ端末６のメイン動作を示すフローチャートである。ＰＯＳ端末６は、電源が投入されると、モード設定処理（Ｂ１）、レシート受付処理（Ｂ２）、景品交換処理（Ｂ３）を繰返して実行する。
図１４はモード設定処理を示すフローチャートであり、図示しない待機画面上の「業務選択」釦が押下げられたか（Ｃ１）、許容時間外か（Ｃ１２）を判定する。「業務選択」釦が押下されると（Ｃ１：ＹＥＳ）、表示部１５に業務選択画面を表示する。
図５は業務選択画面を示している。この業務選択画面には、担当表示部２１、年月日表示部２２、「設定」釦２３、「練習処理」釦２４、「営業処理」釦２５が表示されている。
【００２０】
次にＰＯＳ端末６は、「練習処理」釦２４が押下げられたか（Ｃ２）、「営業処理」釦２５が押下げられたか（Ｃ１５）を判定する。営業開始時は「営業処理」釦２５が押下げられるので（Ｃ１５：ＹＥＳ）、営業モードを設定し（Ｃ１６）、許容時間外でないことを確認してから（Ｃ１２：ＮＯ）、終了する。この許容時間とは、後述する練習モードを設定可能な時間帯のことで、営業時間帯において稼動率が練習モードを実行しても支障がない程度に低下する時間帯が任意に設定されている。そして、「営業処理」釦２５が押下げられたときは（Ｃ１５：ＹＥＳ）、営業モードを設定する（Ｃ１６）。このとき表示部１５に待機中画面１を表示する。
図６は待機中画面１を示している。この待機中画面１には、総数表示部２６、交換可能玉数表示部２７、端数表示部２８、特殊景品としての大景品数表示部２９、中景品数表示部３０、小景品数表示部３１が表示されていると共に、景品表示部３２、「業務選択」釦３３が表示されている。
【００２１】
図１７は、管理装置７のメイン動作を示すフローチャートである。管理装置７は、持玉特定処理（Ｆ１）、持玉数抽出処理（Ｆ２）を繰返して実行している。
図１８は持玉特定処理を示すフローチャートである。管理装置７は、アウト信号を受信したか（Ｇ１）、非稼動タイマが作動中か（Ｇ６）、セーフ信号を受信したか（Ｇ１０）、売上信号を受信したか（Ｇ１２）を判定する。
【００２２】
遊技場に来店した遊技者が現金或いはプリペイドカード等の有価価値の投入により台毎端末２から貸玉の貸出しを受けると、台毎端末２から投入された有価価値を示す売上信号が出力される。そして、遊技者が遊技機１で遊技を開始すると、アウト玉或いはセーフ玉の発生に伴って遊技機側からアウト信号或いはセーフ信号が出力される。
管理装置７は、売上信号またはセーフ信号を受信したときは（Ｇ１０：ＹＥＳ）、持玉数を加算し（Ｇ１１）、アウト信号を受信したときは（Ｇ１：ＹＥＳ）、持玉数を減算する（Ｇ２）。これにより、各遊技機１の持玉数（＝売上玉数＋セーフ玉数−アウト玉数）を算出することができる。
【００２３】
一方、管理装置７は、非稼動状態において最初のアウト信号を受信したときは、非稼動タイマが停止していることから（Ｇ３：ＮＯ）、非稼動タイマの作動を開始し（Ｇ５）、その非稼動タイマの作動状態でアウト信号をさらに受信したときは（Ｇ３：ＹＥＳ）、非稼動タイマをリセットする（Ｇ４）。この非稼動タイマは遊技機の非稼動状態を検出するためのもので、そのタイマ時間は、玉が連続発射された場合の玉の発射間隔よりも十分に長い時間に設定されていると共に、リセットされると、タイマ動作を再実行する。
遊技者が遊技を終了すると、非稼動タイマがリセットされずタイムアップするので、管理装置７は、非稼動タイマがタイムアップしたときは（Ｇ７：ＹＥＳ）、持玉数を持玉履歴に記憶してから（Ｇ８）、持玉数を０とする（Ｇ９）。
【００２４】
図１２は計数機５の計数処理を示すフローチャートである。計数機５は、計数を開始したかを判定しており（Ａ１）、獲得玉が投入されると、計数開始と判定し（Ａ１：ＹＥＳ）、「精算」釦１１が押下げられたかを判定する（Ａ２）。計数を終了した遊技者により「精算」釦１１が押下げられたときは（Ａ２：ＹＥＳ）、発券信号を送信してから（Ａ３）、レシート発行部１３より営業用レシートを発行する（Ａ４）。
【００２５】
図３は、レシート発行部１３より発行された営業用レシートの一例を示している。営業用レシート３９（営業用記録媒体に相当）には、パチンコホール名３９ａ、計数時刻３９ｂ、計数値３９ｃ、計数値をＰＯＳ端末６で読み取らせるための２次元コード３９ｄ、当該レシートの景品交換が当日のみ有効という注意を促すメッセージ３９ｅが印刷されている。
【００２６】
遊技者が営業用レシート３９を景品交換カウンタに提出すると、従業員は、ＰＯＳ端末６にて営業用レシート３９を読み込ませる。
ＰＯＳ端末６は、図１５に示すレシート受付処理において、レシートを読み取ったときは（Ｄ１：ＹＥＳ）、営業用レシート３９か（Ｄ２）、練習モードか（Ｄ４）を判定する。この場合は営業用レシート３９であるので（Ｄ２：ＹＥＳ）、営業モードが設定されていることを確認してから（Ｄ３：ＹＥＳ）、レシートを受付ける（Ｄ５）。尚、営業モードが設定されていない場合は（Ｄ３：ＮＯ）、レシートを受付けることなく終了する。
【００２７】
次にＰＯＳ端末６は、図１６に示す景品交換処理において、レシートを受付けたかを判定しており（Ｅ１）、上述のようにレシートを受付けたときは（Ｅ１：ＹＥＳ）、交換可能な特殊景品を仮特定し（Ｅ２）、残玉数を算出してから（Ｅ３）、景品キー１７が押下げられたか（Ｅ４）、「キャンセル」釦３４が押下げられたか（Ｅ７）、「交換」釦１９が押下げられたか（Ｅ９）を判定する。このとき表示部１５に景品交換中画面１を表示する。
【００２８】
図７は景品交換中画面１を示している。総数表示部２６及び交換可能玉数表示部２７には読み込んだ計数玉数が表示され、大景品数表示部２９、中景品数表示部３０、小景品数表示部３１には総数の範囲内で交換可能な特殊景品数が表示され、端数表示部２８には総数から特殊景品の景品交換玉数を差引いた残玉数が表示されている。また、「業務選択」釦３３に加えて「キャンセル」釦３４が表示されている。図７に示す例では、総数及び交換可能玉数が５６７４玉であり、大景品数（１０００玉相当）を５個、中景品（４００玉相当）を１個、小景品（８０玉相当）を３個交換可能であると共に、端数が小景品に相当する玉数よりも少ない３４玉であることを示している。尚、この景品交換中画面１は従業員側表示部１５の画面であり、図示しない遊技者側表示部における特殊景品数は０のままである。これは、遊技者側表示部に特殊景品数を表示した場合は、遊技者が特殊景品は確定済みであると勘違いする虞があるからである。
【００２９】
従業員は、ＰＯＳ端末６に表示されている端数が終了可能数を上回っている場合は、その端数内で一般景品を選択する。この場合、同一の景品が２以上の場合は、その個数をテンキーで入力する。尚、景品の選択方法としては、景品キー１７を押下する方法の他に、景品のバーコードをスキャニングする方法、バーコードを手入力する方法、表示部上に設けられた景品パネルをタッチする方法を採用しても良い。
【００３０】
ＰＯＳ端末６は、景品キー１７により景品が選択されたときは（Ｅ４：ＹＥＳ）、該当景品及び交換可能な特殊景品を仮特定し（Ｅ５）、仮特定した景品相当の玉数を残玉数（端数）から減算する（Ｅ６）。尚、「キャンセル」釦３４が押下げられたときは（Ｅ７：ＹＥＳ）、仮特定を解除する（Ｅ８）。
【００３１】
特殊景品或いは一般景品の選択が確定したことにより「交換」釦１９が押下げられたときは（Ｅ９：ＹＥＳ）、交換可能玉数を０とし（Ｅ１０）、残玉数が終了可能数以下かを判定する（Ｅ１１）。残玉数が終了可能数を上回っているときは（Ｅ１１：ＮＯ）、ステップＥ４へ移行することにより景品キー１７の押下げによる景品の仮特定を実行可能とする。そして、「交換」釦１９が押下げられたときに残玉数が終了可能数以下であったときは（Ｅ１１：ＹＥＳ）、「終了」釦２０が押下げられたかを加えて判定する（Ｅ１２）。このとき表示部１５に景品交換中画面２を表示するのに加えて図示しない表示端末の表示部にも表示するので、遊技者に交換対象景品を確認してもらうことができる。
図８は景品交換中画面２を示しており、図７の景品交換画面１の状態において３４玉の端玉のうち３０玉がタバコ及びチョコレート以外の一般景品と交換された状態（景品表示部３２への表示は無し）を示している。
【００３２】
次にＰＯＳ端末６は、「終了」釦２０が押下げられたときは（Ｅ１２：ＹＥＳ）、仮特定している全景品の交換を確定し（Ｅ１３）、残玉数を０とし（Ｅ１４）、営業モードであるかを判定する（Ｅ１５）。この場合は営業モードであることから（Ｅ１５：ＹＥＳ）、景品交換処理の結果を示す景品払出信号を管理装置７に出力する（Ｅ１６）。
管理装置７は、景品払出信号を受信すると、景品交換処理の結果を累積的に記憶する。従って、管理者は、営業終了後に、景品交換処理の結果の累積及び売上等に基づいて遊技場の経営状態を分析することができる。
【００３３】
ところで、従業員がＰＯＳ端末６での景品交換処理に不慣れな場合は、景品交換処理に時間を要して客を待たせることになることから、景品交換処理を行う従業員はＰＯＳ端末６の操作に慣れておく必要がある。
そこで、ＰＯＳ端末６は景品交換処理を練習するための練習モードの機能を備えており、営業中に練習モードを設定可能となっている。ＰＯＳ端末６を練習モードに切替えるには、図５の業務選択画面を表示した状態で、その画面に表示されている「練習処理」釦２４を押下げる。
【００３４】
ＰＯＳ端末６は、「練習処理」釦２４が押下げられたときは（Ｃ２：ＹＥＳ）、許容時間内か（Ｃ３）、許容時間外であっても稼動率が８０％以下かを判定する（Ｃ４）。何れの条件も満足しない場合は（Ｃ３：ＮＯ、Ｃ４：ＮＯ）、ステップＣ２に戻る。尚、許容時間は遊技場側が任意に設定可能となっている。これは、稼動率が高くとも景品交換する遊技者が少ない時間帯もあれば、稼動率が低くとも閉店前など景品交換する遊技者が多い時間帯もあるからである。一方、許容時間内か、許容時間外であっても稼動率が８０％以下かの何れかの条件を満足した場合は（Ｃ３：ＹＥＳまたはＣ４：ＹＥＳ）、「キャンセル」釦３７が押下げられたか（Ｃ５）、「実行」釦３６が押下げられたか（Ｃ６）を判定する。このとき、練習開始確認画面を表示する。
【００３５】
図９は練習開始確認画面を示している。練習開始画面には確認画面３５がポップアップ表示される。確認画面３５には練習処理を開始することを示すメッセージが表示されていると共に、「実行」釦３６及び「キャンセル」釦３７が表示されている。「キャンセル」釦３７が押下げられたときは（Ｃ５：ＹＥＳ）、ステップＣ２に戻る。「実行」釦３６が押下げられたときは（Ｃ６：ＹＥＳ）、練習モードを設定し（Ｃ７）、景品交換処理において交換対象の景品を練習の課題として決定する（Ｃ８）。このような練習の課題となる景品は、予め登録されている一般景品の中からランダムに選択される。このとき、待機中画面２を表示する。
図１０は待機中画面２を示している。待機中画面２には課題表示部３８が表示され、その課題表示部３８に交換対象となる景品が課題として表示される。図１０に示す例では、交換対象となる景品としてタバコＡが２個、チョコレートが１個提示されている。
【００３６】
次にＰＯＳ端末６は、選択された景品を交換するのに必要な玉数を算出し、その玉数を最低玉数として管理装置７に送信してから（Ｃ９）、持玉数を受信したかを判定する（Ｃ１０）。
管理装置７は、図１９に示す持玉数抽出処理において、ＰＯＳ端末６から最低玉数を受信したときは（Ｈ１：ＹＥＳ）、ランダムに選択した何れかの遊技機１における現在の持玉数を抽出し（Ｈ２）、その持玉数が景品交換可能な最低玉数以上であるかを判定する（Ｈ３）。最低玉数以上の場合は（Ｈ３：ＹＥＳ）、当該持玉数をＰＯＳ端末６に送信する（Ｈ４）。尚、抽出した持玉数が最低玉数を下回っている場合は、最低玉数以上となるまで持玉数の抽出を再実行する。
【００３７】
ＰＯＳ端末６は、持玉数を受信したときは（Ｃ１０：ＹＥＳ）、その持玉数と練習の課題（交換すべき景品の種類及び個数）を練習用レシートとして印字して発行する（Ｃ１１）。
図４は、練習用レシートの一例を示している。この練習用レシート４０（練習用記録媒体に相当）には、上述した営業用レシートの印刷項目に加えて、練習用レシートであることを示す文字４０ａ、交換対象景品の種別及び個数を示す課題４０ｂが印刷されている。図４に示す例では、計数玉数が５６７４玉で、景品としてタバコＡが２個、チョコレートが１個を交換することが課題として印刷されている。
【００３８】
従業員が練習用レシート４０をＰＯＳ端末６に読込ませると、ＰＯＳ端末６は、表示部１５に図７に示す景品交換中画面１を表示する。
従業員が課題として表示されているタバコＡとチョコレートを景品キー１７により選択すると、図１１に示すように景品表示部３２に選択された景品名が個数と共に表示される。また、総数である５６７４玉から景品玉数である２００（＝７５×２＋５０）を差引いた５４７４玉に対して大景品５個（５０００玉）、中景品１個（４００玉）が交換対象となり、そのときの残玉数が７４玉となる。従って、残玉数が終了可能数を上回っていることから、景品キー１７により端玉７０玉を選択することにより、端玉が４玉となって終了可能数以下となるので、「交換」釦１９に続けて「終了」釦２０を押下げることにより景品交換処理を終了することができる。
【００３９】
ＰＯＳ端末６は、このような練習モードでは（Ｅ１５：ＮＯ）、景品交換処理が終了しても景品交換処理の結果を送信することなく終了する。従って、管理装置７が練習モードにおける景品交換処理の結果を累積的に蓄積することはない。
尚、ＰＯＳ端末６は、許容時間外において稼動率が８０％を上回った場合は（Ｃ１２：ＹＥＳ、Ｃ１３：ＹＥＳ）、営業モードを優先して実行する必要から練習モードを終了する（Ｃ１４）。即ち、所定の許容時間外で稼動率が８０％より高い場合は練習モードの設定を禁止する一方、練習モードにおいて許容時間外で稼動率が８０％より高くなると練習モードを強制的に終了するのである。
【００４０】
このような実施形態によれば、景品交換処理の結果が実績データとして累積的に蓄積される営業モードと蓄積されない練習モードとを備えるＰＯＳ端末６において、練習モードで交換すべき景品を練習の課題として練習用レシート４０に印字して発行するようにしたので、従業員がその課題を迅速に行うことができるように景品処理を練習することで、より実践的な練習が可能となる。
また、ＰＯＳ端末６から練習用レシート４０を発行するので、練習用レシート４０の受付からの練習が可能となるだけでなく、練習の課題を練習用レシート４０に印字することでスムーズに課題を従業員に対して提示することができる。
【００４１】
（他の実施形態）
本発明は、上記実施形態に限定されることなく、次のように変形または拡張できる。
練習用モードで用いるための持玉数としては、管理装置が抽出した持玉数に限らず、計数玉数など他の遊技データを抽出対象としても良い。
本実施形態では練習の課題をＰＯＳ端末の表示部に直接表示させる構成と練習用レシートに印字する構成とが記載されているが、何れか一方の構成でも良い。
時間帯毎の平均稼動率に対する景品交換回数の割合である景品交換率を求め、この景品交換率及び時間帯に基づいて練習モードの設定を禁止しまたは練習モードの強制的に終了しても良い。
営業中に練習モードに切替える例を示したが、営業終了後に行うようにしても良い。この場合、管理装置からＰＯＳ端末に送信する持玉数としては営業終了時の持玉数を選択したり、営業中における所定時間の持玉数を選択したりすれば良い。
【符号の説明】
【００４２】
図面中、１は遊技機、２は台毎端末、３は呼出ランプユニット、４は中継装置、５は計数機（計数手段、営業用記録媒体発行手段）、６はＰＯＳ端末（記録媒体受付手段、景品交換処理手段、モード設定手段、課題決定手段、課題提示手段、練習用記録媒体発行手段）、７は管理装置（実績データ蓄積手段）、１５は表示部（表示手段）、３９は営業用レシート（営業用記録媒体）、４０は練習用レシート（練習用記録媒体）である。
【図１】
0005405932.tif 000002
【図２】
0005405932.tif 000003
【図３】
0005405932.tif 000004
【図４】
0005405932.tif 000005
【図５】
0005405932.tif 000006
【図６】
0005405932.tif 000007
【図７】
0005405932.tif 000008
【図８】
0005405932.tif 000009
【図９】
0005405932.tif 000010
【図１０】
0005405932.tif 000011
【図１１】
0005405932.tif 000012
【図１２】
0005405932.tif 000013
【図１３】
0005405932.tif 000014
【図１４】
0005405932.tif 000015
【図１５】
0005405932.tif 000016
【図１６】
0005405932.tif 000017
【図１７】
0005405932.tif 000018
【図１８】
0005405932.tif 000019
【図１９】
0005405932.tif 000020